(57)【特許請求の範囲】
【請求項１】
水平方向が長手方向となる長方形の操作パネルを機器本体の光ディスク挿入口の設けられた前面を閉じる垂直姿勢と機器本体の前記前面を開く傾斜姿勢との間で下辺近傍を回動中心軸として回動可能に装着し、さらに機器本体に着脱可能とし、前記操作パネルの背面に圧接して操作パネルを前記垂直姿勢から傾斜姿勢に回動させるスライダを機器本体側に長手方向所定範囲で摺動自在に支持してばねで突出方向に付勢し、操作パネルを傾斜姿勢から垂直姿勢に回動させるときは操作パネルを押し込むことにより前記スライダを前記ばねの弾力に抗して押し込み、前記操作パネルが機器本体の前面を開く傾斜姿勢のときに機器本体前面の光ディスク挿入口を解放する車載用音響機器において、前記操作パネルが垂直姿勢のときの前記操作パネルの前記スライダとの第１の当接面と、前記操作パネルが押し込まれて前記スライダと当接するようになる第２の当接面とが夫々前記スライダの移動方向に対して略垂直となると共に前記第１の当接面と前記第２の当接面とが断面略Ｓ字状の滑らかな面で連なるように形成した車載用音響機器の可倒式操作パネル着脱機構。
【請求項２】
前記操作パネルを回動可能に支持する嵌合部材を可動アームを介して機器本体側に取付け、前記嵌合部材を操作パネルの回動中心軸方向に可動するように構成した請求項１の車載用音響機器の可倒式操作パネル着脱機構。
【請求項３】
前記操作パネルを係止するロックアームを、前記スライダをガイドし、また、前記可動アームを回動自在に支持する軸に回動可能に支持させた請求項２の可倒式操作パネル着脱機構。
【請求項４】
前記操作パネルを係止するロックアームおよび前記スライダに夫々突起を設け前記ロックアームが操作パネルを係止した時に前記夫々の突起が係合し、前記スライダの突出が止められるように構成した請求項３の可倒式操作パネル着脱機構。
【請求項５】
前記ロックアームおよび前記スライダの突起のいずれかまた双方の係合面を前記ロックアームが係合方向に回動するときの前記突起の先端部が前記ロックアームの回動を干渉することがないように傾斜させた請求項４の可倒式操作パネル着脱機構。
【発明の詳細な説明】
【０００１】
【発明の属する技術分野】
この発明は操作パネルを着脱可能とした車載用音響機器に係わり、特に、操作パネルの着脱機構に関する。
【０００２】
【従来の技術】
車載用音響機器の操作パネルは、記録媒体挿入口を開放するために可倒式とし、さらに盗難を防止するために取り外し可能とするものがある。そのような従来の可倒式操作パネル着脱機構の例を図９および図１０に示す。図９に示す機器本体１の前方に取付けられたサブパネル２の左右に軸保持部材２２、２２が固定されており、軸保持部材２２、２２には夫々軸２３、２３が立設されている。
【０００３】
操作パネル３の左右側面には軸受２０が可動状態に埋め込まれ、圧縮コイルばねにより突出方向に付勢されている。軸受２０が軸２３と嵌合し操作パネル３は回動自在に支持される。操作パネル３に一体に形成された扇形ギヤ（図９では見えていない）は軸保持部材２２に回転自在に支持されたギヤ７と噛み合い、ギヤ７は軸保持部材２２に支持されたギヤダンパ（図９では見えていない）と噛み合っている。
【０００４】
操作パネル３は軸２３、２３に回動自在に支持された状態で上方に回動されると、図示していないロック機構によりロックされ、サブパネル２の前面を覆い使用状態となる。前記ロック機構を解除すると、レバー２４に押されて前方に倒される。レバー２４は図１０に示すように本体側に回動自在に支持されており、ばねで前傾方向に付勢されている。
【０００５】
レバー２４の圧力は操作パネル３の回動速度を加速するように作用するが、前述のギヤダンパには粘性流体が封入されており、ギヤの回転速度に比例したトルク荷重を発生させ、ギヤダンパの作用により操作パネル３の回動速度が抑えられる。操作パネル３を取り外すときは、操作パネル３を倒した状態で手前に引張ると、軸受２０、２０が軸２３、２３に押され圧縮コイルばねの弾力に抗して操作パネル３の凹みの奥に移動し、軸受２０、２０から外れて操作パネル３を機器本体１から離すことができる。
【０００６】
特公平８−１７２１号公報に提案された操作パネルの着脱機構は、板金製の中蓋部が機器本体に回動自在に設けられた支持部材の自由端部に枢支されており、中蓋部は枢軸が円弧状に移動しながら枢軸回りに回動する。操作パネルは中蓋部が機器本体の前面から離れた状態で中蓋部に装着される。
【０００７】
【発明が解決しようとする課題】
上記した図９および図１０に示す従来のパネル着脱機構では、軸受２０の軸方向の動きをスムーズにするためには軸受２０を嵌合させる凹みをある程度深くする必要があり、その部分が操作パネルのつまみ、表示部等に対してデッドスペースとなってつまみや表示部を配置するスペースが狭くなり操作性や見栄えが悪くなっていた。
【０００８】
また、操作パネル３を傾動させるレバー２４を回動させるため、レバー２４の移動スペースが大きく、サブパネル２に大きい穴を開ける必要があり、強度やスペースの点で不利であった。図１１に示すように直動するスライダ２５により操作パネル３を傾動させれば、スライダ２５の移動スペースは小さくなるが、スライダ２５を水平方向に動かす場合は操作パネルが水平近くまで傾いているときに操作パネル３がスライダ２５を押す上方向の分力が大きくなり、スライダ２５とサブパネル２との摩擦力および操作パネル３とスライダ２５との摩擦力が大きくなり、スライダ２５が動きにくくまた、破損する恐れがある。
【０００９】
特公平８−１７２１号公報に提案された操作パネルの着脱機構は、高価な板金部材で構成され、また、機構が複雑であるため、製造コストが高くなる。また、複雑な機構を収容するスペースも大きくなるという問題があった。
【００１０】
この発明は上記した点に鑑みてなされたものであって、その目的とするところは、サブパネルや操作パネルに大きいデッドスペースを生じさせることがなく、構造が簡単でスムーズに作動する車載用音響機器の可倒式操作パネル着脱機構を提供することにある。
【００１１】
【課題を解決するための手段】
この発明の車載用音響機器の可倒式操作パネル着脱機構は、水平方向が長手方向となる長方形の操作パネルを機器本体の光ディスク挿入口の設けられた前面を閉じる垂直姿勢と機器本体の前記前面を開く傾斜姿勢との間で下辺近傍を回動中心軸として回動可能に装着し、さらに機器本体に着脱可能とし、前記操作パネルの背面に圧接して操作パネルを前記垂直姿勢から傾斜姿勢に回動させるスライダを機器本体側に長手方向所定範囲で摺動自在に支持してばねで突出方向に付勢し、操作パネルを傾斜姿勢から垂直姿勢に回動させるときは操作パネルを押し込むことにより前記スライダを前記ばねの弾力に抗して押し込み、前記操作パネルが機器本体の前面を開く傾斜姿勢のときに機器本体前面の光ディスク挿入口を解放する車載用音響機器において、前記操作パネルが垂直姿勢のときの前記操作パネルの前記スライダとの第１の当接面と、前記操作パネルが押し込まれて前記スライダと当接するようになる第２の当接面とが夫々前記スライダの移動方向に対して略垂直となると共に前記第１の当接面と前記第２の当接面とが断面略Ｓ字状の滑らかな面で連なるように形成したものである。
【００１２】
また、前記車載用音響機器の可倒式操作パネル着脱機構において、前記操作パネルを回動可能に支持する嵌合部材を可動アームを介して機器本体側に取付け、前記嵌合部材を操作パネルの回動中心軸方向に可動するように構成したものである。
【００１３】
また、前記車載用音響機器の可倒式操作パネル着脱機構において、前記操作パネルを係止するロックアームを、前記スライダをガイドし、また、前記可動アームを回動自在に支持する軸に回動可能に支持させたものである。
【００１４】
また、前記車載用音響機器の可倒式操作パネル着脱機構において、前記操作パネルを係止するロックアームおよび前記スライダに夫々突起を設け前記ロックアームが操作パネルを係止した時に前記夫々の突起が係合し、前記スライダの突出が止められるように構成したものである。
【００１５】
さらに、前記車載用音響機器の可倒式操作パネル着脱機構において、前記ロックアームおよび前記スライダの突起のいずれかまた双方の係合面を前記ロックアームが係合方向に回動するときの前記突起の先端部が前記ロックアームの回動を干渉することがないように傾斜させたものである。
【００１６】
【発明の実施の形態】
この発明の実施例を図面に基づいて説明する。図１および図２に実施例の操作パネル着脱機構の概略構成を示す。図１に示す機器本体１の前方に取付けられたサブパネル２の左右に可動アーム４、５が回動自在に支持されており、その先端に軸４ａ、５ａが一体に形成されている。図３に左側の可動アーム４の可動範囲を実線と２点鎖線で示している。右側の可動アーム５も同様に可動し、図２に示す板ばね１０により時計方向に付勢されている。左側の可動アーム４は反時計方向に付勢されているが、図２では可動アーム４を付勢する板ばねは示していない。但し、図４に板ばね１０として示されている。
【００１７】
図２に示すように、操作パネル３の左右側面の凹み３ｂ、３ｂは軸４ａ、５ａと嵌合し操作パネル３は回動自在に支持される。操作パネル３に一体に形成された扇形ギヤ３ａは可動アーム４に回転自在に支持されたギヤ７と噛み合い、ギヤ７は可動アーム４に支持されたギヤダンパ８と噛み合っている。
【００１８】
ギヤダンパ８には粘性流体が封入されており、ギヤの回転速度に比例したトルク荷重を発生させる。ギヤダンパ８の作用により操作パネル３の回動速度が抑えられる。操作パネル３を取り外すときは、操作パネル３を倒した状態で手前に引張ると、軸４ａ、５ａが操作パネル３の凹み３ｂ、３ｂに押され板ばね１０の弾力に抗して可動アーム４、５が先端部を開くように回動し軸４ａ、５ａと凹み３ｂ、３ｂの嵌合が外れ操作パネル３を機器本体１から離すことができる。
【００１９】
図４および図５を参照して操作パネル３の着脱機構を構成する各部材の詳細を説明する。図４はサブパネル２を背面から見た分解斜視図である。図に示す可動アーム４の上下の穴４ｂ、４ｂはサブパネル２のボスに嵌着されたピン１１、１１と嵌合し、可動アーム４がサブパネル２に回動自在に取付けられる。ブラケット９はねじ１２によりサブパネル２に取付けられ、ブラケット９に取付けられた板ばね１０は可動アーム４を上からみて反時計方向に付勢する。
【００２０】
金具６はねじ１２により可動アーム４に締着される。金具６にはねじ１２によりギヤダンパ８が締着され、金具６に立設された軸６ａはギヤ７を回転自在に支持する。ギヤ７はギヤダンパ８および図５に示す操作パネル３の扇形ギヤ３ａと噛み合う。
【００２１】
可動アーム５の穴５ｂはサブパネル２のボスに嵌着された軸１５と嵌合し、可動アーム５がサブパネル２に回動自在に取付けられる。なお、可動アーム５を上から見て時計方向に付勢する板ばねがブラケットに取付けられるが図４にはこのブラケットおよび板ばねは図示していない。ロックアーム１３の穴１３ａも軸１５と嵌合し、ロックアーム１３がサブパネル２に回動自在に取付けられる。なお、ロックアーム１３を上から見て時計方向に付勢する板ばねがブラケットに取付けられるがこの板ばねは図示していない。ロックアーム１３の係止部１３ｃは図５に示す操作パネル３を係止する。
【００２２】
スライダ１４はサブパネル２の角形の穴と嵌合し、さらに、スライダ１４の長穴１４ａは軸１５と嵌合し、スライダ１４はサブパネル２に突出自在に取付けられている。スライダ１４とサブパネル２の間に掛けられた引張りコイルばね１９はスライダ１４を突出方向に付勢する。
【００２３】
スライダ１４は後に説明するようにサブパネル２に回動自在に取付けられた操作パネル３の背面を押すが、ロックアーム１３が時計方向に回動して操作パネル３を係止しているときは、スライダ１４の突起１４ｂの前側にロックアーム１３の突起１３ｂが入り込みスライダ１４の動きが止められる。
【００２４】
このように、可動アーム５、ロックアーム１３およびスライダ１４が１本の軸１５で支持されているが、このため、これら部材の位置決め精度が高められる。
【００２５】
サブパネル２に設けられた光ディスク挿入口２ａは通常サブパネル２の前面に取付けられた操作パネル３により閉じられる。サブパネル２に取付けられた板ばね１６に固着された可動部材１７はサブパネル２の穴２ｂから突出可能であり、操作パネル３を前方に付勢する。サブパネル２の前面には操作パネル３と当接するクッション１８、１８が張り付けられている。
【００２６】
図５に操作パネル３の詳細を示す。操作パネル３は箱型に成形された樹脂部材２個がねじで締着された構造であり、左右側面に凹み３ｂ、３ｂが形成され、図５（ａ）で見て右側下部に扇形ギヤ３ａが形成されている。凹み３ｂ、３ｂの形成された面に連なる円錐状の傾斜面には溝３ｃ、３ｃが形成されている。
【００２７】
押釦３ｄは操作パネル３の前面に突出自在に取付けられており、その後端は図４で説明したロックアーム１３の先端傾斜部に臨んでいる。操作パネル３の後面に取付けられたコネクタ３ｆの接触子はサブパネル２に取付けられた図示していないコネクタの接触子と接触する。操作パネル３がサブパネル２の前面を覆うように取付けられたとき、コネクタ３ｆにより操作パネル３に設けられた図示していない表示装置や操作キーが本体側に接続される。操作パネル３の背面に設けられた傾斜面３ｅ、３ｅは図３で説明したスライダ１４の先端と当接する。
【００２８】
通常、操作パネル３の左右側面の凹み３ｂ、３ｂは図２および図４で説明した可動アーム４および５の軸４ａ、５ａと嵌合し操作パネル３は回動自在に支持され、サブパネル２の前面を覆う状態ではロックアーム１３の係止部１３ｃに係止されている。押釦３ｄを押すとロックアーム１３は回動して、操作パネル３およびスライダ１４のロックを解除し、操作パネル３はスライダ１４に押されてサブパネル２の前面を開くように回動する。そのときの回動速度は先に説明したギヤダンパ８の作用により制限される。
【００２９】
操作パネル３を取り外すときは、操作パネル３が倒れた状態で手前に引張ると、可動アーム４および５の軸４ａ、５ａが操作パネル３の凹み３ｂ、３ｂに押され板ばね１０の弾力に抗して可動アーム４、５が先端部を開くように回動し軸４ａ、５ａと凹み３ｂ、３ｂの嵌合が外れ操作パネル３を機器本体１から離すことができる。
【００３０】
操作パネル３を取り付けるときは、凹み３ｂ、３ｂが可動アーム４および５の軸４ａ、５ａと嵌合するように操作パネル３を押し込むがそのとき軸４ａ、５ａと溝３ｃ、３ｃが係合して位置決めされるので、凹み３ｂ、３ｂを軸４ａ、５ａに容易に嵌合させることができる。
【００３１】
このように凹み３ｂ、３ｂを軸４ａ、５ａに嵌合させた後、操作パネル３を回動させることができ、上方に回動させるとき操作パネル３はスライダ１４を押し込むが、傾斜面３ｅがスライダ１４を押すのでスライダ１４を上方に押す分力が殆ど発生せずスライダ１４はスムーズに移動する。
【００３２】
図６にスライダ１４と操作パネル３との当接状態での位置関係を示している。図６（ａ）に示すように、操作パネル３が大きく倒れたときは、スライダ１４に向かうように傾斜した面でスライダ１４が押されるのでスライダ１４を上方向に押す分力は殆ど発生しない。図６（ｂ）に示すように、操作パネル３が略直立した状態では、操作パネル３の当接面はスライダ１４の移動方向に動くのでスライダ１４を上方向に押す分力は殆ど発生しない。このように、スライダ１４を上方向に押す分力は小さくスライダ１４はスムーズに動く。
【００３３】
操作パネル３がサブパネル２の前面を閉じるように回動すると、ロックアーム１３は図４で上から見て一旦反時計方向に回動した後もとに戻され操作パネル３をロックする。また、スライダ１４は後方に押し込まれた後ロックアーム１３に係止される。
【００３４】
ロックアーム１３とスライダ１４の当接面は図８に示すように傾斜している。当接面を傾斜させていない場合は、図７（ａ）〜図７（ｃ）に示すように、ロックアーム１３およびスライダ１４の夫々の突起１３ｂおよび１４ｂが移動するとき、図７（ｂ）に示す係合直前では１４ｂの角部は突起１３ｂの角部と干渉するため、図７（ｃ）に示す係合状態の位置よりもさらに後退しており、その後前進することになる。このため、スライダ１４の動きがスムーズでなくなる。
【００３５】
実施例のロックアーム１３およびスライダ１４の夫々の突起１３ｂおよび１４ｂの当接面は図８に示すように傾斜しているので、図８（ａ）〜図８（ｃ）に示すように、ロックアーム１３およびスライダ１４の夫々の突起１３ｂおよび１４ｂが移動するとき、図８（ｂ）に示す係合直前でスライダ１４を余分に後退させる必要がなく、スライダ１４の動きをスムーズにすることができる。
【００３６】
実施例は以上のように構成されているが、発明はこれに限られず、操作パネル３を傾動させるスライダ１４を左右両側に配置してもよい。また、操作パネル３を回動自在に支持する部材の一方のみを可動させてもよい。さらに、スライダ１４は水平移動でなく、傾斜した方向に移動させてもよい。例えば、前方を下方に傾斜させればスライダ１４の移動方向と直角方向の分力がさらに小さくなる。
【００３７】
【発明の効果】
この発明の車載用音響機器の可倒式操作パネル着脱機構によれば、操作パネルを傾動させるスライダの移動空間が小さく、本体側のデッドスペースが小さくなり、しかも、スライダの動きがスムーズである。
【００３８】
また、操作パネル側の回動嵌合部を可動させないので、操作パネルのつまみ、表示部等に対するデッドスペースがなくなり、つまみや表示部を配置するスペースを広くとれ操作性や見栄えが良くなる。
【００３９】
また、操作パネルを回動自在に支持する可動アーム、操作パネルをロックするロックアームおよび操作パネルを傾動させるスライダが１本の軸で支持されているため、これら部材の位置決め精度が高められる。
【００４０】
また、操作パネルを傾動させるスライダはロックアームが操作パネルをロックしたときにロックアームに係止されるので通常の使用時に操作パネルに不必要に力がかからず長期の使用によって操作パネルが変形することもない。
【図面の簡単な説明】
【図１】この発明の実施例である車載用音響機器の操作パネル着脱機構を示す概略外観図である。
【図２】同操作パネル着脱機構を示す概略断面図である。
【図３】同操作パネル着脱機構を示す部分断面図である。
【図４】同操作パネル着脱機構を示す分解斜視図である。
【図５】図５（ａ）は同操作パネル着脱機構の操作パネル３を示す背面図、図５（ｂ）は同操作パネル３の図５（ａ）で見た左側の側面図、図５（ｃ）は同操作パネル３の図５（ａ）で見た右側の側面図、図５（ｄ）は図５（ａ）におけるＤ−Ｄ断面図である。
【図６】同操作パネル着脱機構の作用を示す部分側面図である。
【図７】同操作パネル着脱機構の作用を説明するための部分平面図である。
【図８】同操作パネル着脱機構の作用を説明するための部分平面図である。
【図９】従来の車載用音響機器の操作パネル着脱機構を示す概略断面図である。
【図１０】同操作パネル着脱機構の作用を説明するるための断面図である。
【図１１】従来の車載用音響機器の操作パネル着脱機構を変形させた場合の作用を説明するための断面図である。
【符号の説明】
１  機器本体
２  サブパネル、２ａ  光ディスク挿入口、２ｂ  穴
３  操作パネル、３ａ  扇形ギヤ、３ｂ  凹み、３ｃ  溝、３ｄ  押釦、３ｅ傾斜面、３ｆ  コネクタ
４  可動アーム、４ａ  軸、４ｂ  穴
５  可動アーム、５ａ  軸、５ｂ  穴
６  金具、６ａ  軸
７  ギヤ
８  ギヤダンパ
９  ブラケット
１０  板ばね
１１  ピン
１２  ねじ
１３  ロックアーム、１３ａ  穴、１３ｂ  突起、１３ｃ  係止部
１４  スライダ、１４ａ  長穴、１４ｂ  突起
１５  軸
１６  板ばね
１７  可動部材
１８  クッシヨン
１９  引張りコイルばね
２０  軸受
２１  圧縮コイルばね
２２  軸保持部材
２３  軸
２４  レバー
２５  スライダ
【図１】
0004021020.tif 000002
【図２】
0004021020.tif 000003
【図３】
0004021020.tif 000004
【図４】
0004021020.tif 000005
【図５】
0004021020.tif 000006
【図６】
0004021020.tif 000007
【図７】
0004021020.tif 000008
【図８】
0004021020.tif 000009
【図９】
0004021020.tif 000010
【図１０】
0004021020.tif 000011
【図１１】
0004021020.tif 000012